(57)【要約】【課題】デジタル処理による簡単な構成でも誤った重み付けを防止する。【解決手段】入力端子２０に供給される再生信号が、直列接続された単位遅延手段２１〜２４で遅延され、重み付け係数Ｃ１　〜Ｃ５　の重み付け手段２５〜２９を通じて加算器３０で加算されて、ＦＩＲフィルタが形成される。さらにデコーダー９から取り出されたシンボル系列が演算回路３１に供給され、加算器３０の出力信号から減算されることによって目標値との誤差成分が取り出され、この誤差成分と入力端子２０に供給される再生信号とが演算回路３２に供給されて、重み付け手段２５〜２９に設定される重み付けの係数Ｃ１　〜Ｃ５　が求められる。それと共に、検出点誤差の統計回路３３では、入力または出力信号と例えばデコーダー９での目標値との誤差値の統計が行われ、それが許容範囲の時だけ適応等化の演算を行い、あるいは重み付けの係数の更新を制限する制御がなされる。【選択図】　　　　図１
2004022041.tif 000002
【特許請求の範囲】
【請求項１】
記録媒体から再生信号を取り出す再生装置であって、
前記再生信号の等化を行う適応型等化回路と、
前記等化された再生信号を任意の目標値に識別する判定回路と、
前記再生信号を前記判定回路の目標値ごとにその検出点誤差を求める検出手段とを設け、
前記検出手段からの検出点誤差、あるいは前記検出点誤差を統計処理した数値に基づいて前記適応型等化回路を制御する
ことを特徴とする再生装置。
【請求項２】
請求項１記載の再生装置において、
前記適応型等化回路には、
前記再生信号を順次遅延する複数の単位遅延からなる遅延手段と、
これらの遅延信号をそれぞれ重み付けする複数の重み付け手段と、
これらの重み付けされた信号を加算する加算手段とを有し、
前記複数の重み付け手段の重み付け係数をそれぞれ前記再生信号に応じて変更すると共に、
前記適応型等化回路の出力信号を前記判定回路に供給して前記検出手段からの検出点誤差、あるいは前記検出点誤差を統計処理した数値が所定の範囲のときに前記重み付け手段での係数の変更を行う
ことを特徴とする再生装置。
【請求項３】
請求項１記載の再生装置において、
前記適応型等化回路には、
前記再生信号を順次遅延する複数の単位遅延からなる遅延手段と、
これらの遅延信号をそれぞれ重み付けする複数の重み付け手段と、
これらの重み付けされた信号を加算する加算手段とを有し、
前記複数の重み付け手段の重み付け係数をそれぞれ前記再生信号に応じて変更すると共に、
前記適応型等化回路の入力信号を前記判定回路に供給して前記検出手段からの検出点誤差、あるいは前記検出点誤差を統計処理した数値が所定の範囲のときに前記重み付け手段での係数の変更を行う
ことを特徴とする再生装置。
【請求項４】
再生信号を順次遅延する複数の単位遅延からなる遅延手段と、
これらの遅延信号をそれぞれ重み付けする複数の重み付け手段と、
これらの重み付けされた信号を加算する加算手段とを有し、
前記複数の重み付け手段の重み付け係数をそれぞれ前記再生信号に応じて変更する適応型等化回路であって、
等化された再生信号を任意の目標値に識別する判定回路と、
前記再生信号を前記判定回路の目標値ごとにその検出点誤差を求める検出手段とを設け、
前記検出手段からの検出点誤差、あるいは前記検出点誤差を統計処理した数値に基づいて前記複数の重み付け手段の重み付け係数を制御する
ことを特徴とする適応型等化回路。
【請求項５】
請求項４記載の適応型等化回路において、
前記加算手段の出力信号を前記判定回路に供給して前記検出手段からの検出点誤差、あるいは前記検出点誤差を統計処理した数値が所定の範囲のときに前記重み付け手段での係数の変更を行う
ことを特徴とする適応型等化回路。
【請求項６】
請求項４記載の適応型等化回路において、
前記遅延手段の入力信号を前記判定回路に供給して前記検出手段からの検出点誤差、あるいは前記検出点誤差を統計処理した数値が所定の範囲のときに前記重み付け手段での係数の変更を行う
ことを特徴とする適応型等化回路。
【発明の詳細な説明】
【０００１】
【発明の属する技術分野】
本発明は、例えばデジタル信号の磁気記録再生に使用して好適な再生装置及び適応型等化回路に関する。詳しくは、特に記録媒体からトラッキング制御を行わずに再生信号を取り出している場合に、適応型等化回路での誤動作が生じないようにするものである。
【０００２】
【従来の技術】
例えば磁気記録されたデジタル信号の再生装置として図８に示すような構成が実施されている。すなわち図８において、磁気テープ１から再生ヘッド２及び再生アンプ３を通じて取り出された信号は、自動利得制御回路４を通じてアナログ等化器５に供給され、アナログ等化された信号がＡ／Ｄ変換器６に供給される。そしてこのＡ／Ｄ変換器６で変換されたデジタル信号が位相ロックループ（ＰＬＬ）７に供給されて再生信号のデータクロックが抽出され、抽出されたデータクロックがＡ／Ｄ変換器６に供給されて再生信号のデジタル変換が行われる。
【０００３】
さらにＡ／Ｄ変換器６でデジタル変換された再生信号は適応型等化回路８に供給され、この適応型等化回路８の出力信号がデコーダー９に供給されて、例えばビタビ復号アルゴリズムを適用したデコードが行われる。なおビタビ復号アルゴリズムでは、例えば異なる重み付け係数で推定された各々の伝送路のインパルス応答を用いて、パスメトリックが最大となるシンボル系列の推定が行われ、算出されたパスメトリックの最大値が最大となるシンボル系列が出力される。この出力されたシンボル系列が適応型等化回路８に帰還される。
【０００４】
ここで適応型等化回路８は、例えば図９に示すような基本構造のものである。すなわち図９において、入力端子８０に供給される再生信号が、直列接続された複数の単位遅延手段８１〜８４に供給される。なお、図９では簡略化のため単位遅延手段を４段としたが、実際の装置では１０段以上のものが用いられる。これらの単位遅延手段８１〜８４の入力端及び出力端の信号がそれぞれ重み付け係数Ｃ１　〜Ｃ５　の重み付け手段８５〜８９を通じて加算器９０で加算される。これより、いわゆるＦＩＲフィルタが形成されて再生信号の等化が行われる。
【０００５】
さらに上述のデコーダー９から取り出されたシンボル系列が演算回路９１に供給され、加算器９０の出力信号から減算されることによって目標値との誤差成分が取り出される。そしてこの誤差成分と入力端子８０に供給される再生信号とが演算回路９２に供給されて、例えばＬＭＳ（Ｌｅａｓｔ　Ｍｅａｎ　Ｓｑｕａｒｅ　＝最小自乗法）アルゴリズムを用いて伝送路のインパルス応答を推定すると共に、誤差成分が最小になるように上述の重み付け手段８５〜８９に設定される重み付けの係数Ｃ１　〜Ｃ５　が求められる。
【０００６】
これによって、例えば磁気記録再生における伝送路のインパルス応答を推定した再生信号の等化が行われる。そしてこの場合に、演算回路９２では、例えばＬＭＳアルゴリズムによる伝送路のインパルス応答の推定と、デコーダー９での例えばビタビ復号アルゴリズムによって求められる目標値からの誤差成分とを加味して、等化のための重み付け係数を適応的に定めることによって、例えばデジタル信号の磁気記録再生において、良好な再生信号の等化を行うことができるとされているものである。
【０００７】
さらに上述のデコーダー９からの信号が、例えば誤り訂正符号（ＥＣＣ）復調回路１０に供給され、例えば誤り訂正と同時にデジタルデータの再構築が行われる。さらにこの再構築されたデジタルデータが伸長回路（図示は省略）等に供給されて、記録時に行われた圧縮を元に戻す伸長が行われる。そしてこの信号がＤ／Ａ変換器１１でアナログ信号に変換されて、例えば映像及び音声信号のアナログ信号が出力端子１２に取り出される。このようにして、例えばデジタル記録された映像及び音声信号の再生が行われる。
【０００８】
【発明が解決しようとする課題】
ところでデジタル信号の記録再生においては、例えば記録単位ごとにアドレスを付加して記録を行い、その記録トラックを倍以上の回数ずつ繰り返し再生して正常に再生された記録単位のみを取り出し、アドレスに従って再生信号を再構築することにより、例えば再生時のトラッキング制御を行わずに再生信号を取り出す手段が考えられている。これによれば、トラッキング制御のための構成や、その制御のために記録媒体上に制御信号を記録して置くなどの必要がなくなり、簡単な構成でデジタル信号の記録再生を行うことができるものである。
【０００９】
すなわち図１０において、ビデオカメラ等の映像及び音声信号源６１からのアナログ信号が、アナログデジタル変換器（ＡＤＣ）６２でデジタル信号に変換されて圧縮／伸長回路６３に供給される。そしてこの圧縮／伸長回路６３と、バッファコントローラ６４及びバッファメモリー６５によって供給された信号の任意の圧縮が行われる。さらにこの圧縮された信号が誤り訂正符号（ＥＣＣ）による変調／復調回路６６に供給され、変調された信号が記録／再生回路６７を通じて回転ドラム６８上に設けられた磁気ヘッドＨａ、Ｈｂに供給される。
【００１０】
一方、装置全体の制御を行うシステムコントローラ７０が設けられて、上述の圧縮／伸長回路６３、バッファコントローラ６４、変調／復調回路６６、記録／再生回路６７等がそれぞれ状況に応じて制御されると共に、このシステムコントローラ７０とメカコントローラ７１との間で交信が行われて、例えば磁気テープ６９の移送を行うモータ（Ｍ）等の駆動手段７２が制御される。これによって、記録／再生回路６７からの信号が回転ドラム６８の周面に沿って移送される磁気テープ６９上に斜めのトラックを形成するように記録される。
【００１１】
さらに上述の磁気ヘッドＨａ、Ｈｂにおいて、例えばそれぞれの磁気ギャップのアジマス角が回転ドラム６８の回転方向に直交する角度から互いに逆向きに異なるようにされると共に、磁気ヘッドＨｂが磁気ヘッドＨａで記録されたトラックの一部に重なりあう位置に記録を行うように配置される。これにより回転ドラム８の周面に沿って移送される磁気テープ６９上には、例えば図１１のＡに示すようなトラックパターンが形成される。すなわち図１１のＡにおいて、トラック間のいわゆるガードバンドを無くした記録再生が行われる。
【００１２】
あるいは上述の磁気ヘッドＨａ、Ｈｂにおいて、それぞれの磁気ギャップのアジマス角が回転ドラム６８の回転方向に直交する角度から互いに逆向きに異なるようにされると共に、磁気ヘッドＨａは前回記録したトラックより２トラックピッチ先の位置に次のトラックの記録を行うと共に、磁気ヘッドＨｂは磁気ヘッドＨａで記録された次のトラックの１トラックピッチ後の位置に記録を行うように配置される。これにより回転ドラム８の周面に沿って移送される磁気テープ６９上には、例えば図１１のＢに示すようなトラックパターンが形成される。
【００１３】
すなわち図１１のＢにおいては、先に広い幅の磁気ヘッドＨａで１トラック置きに記録トラックＴａ１、Ｔａ２・・・の記録が行われ、その後に、この記録されているトラックの境界の部分に、磁気ヘッドＨｂで記録トラックＴｂ１、Ｔｂ２・・・が記録される。これによって、磁気ヘッドＨａ、Ｈｂのペアリングや記録ヘッド同士の相対的な位置関係、あるいは周ぶれや軸受け自体のの変動要素などが生じても、記録トラックＴａ１→Ｔｂ１、Ｔｂ１→Ｔａ２の間隔が常に規定の間隔に保たれ、磁気テープ６９上に規定のトラックパターンが形成される。
【００１４】
従ってこれらの図１１のＡ及びＢのトラックパターンにおいては、いずれも上述のように磁気ギャップのアジマス角が違えられることによって、再生時に同じアジマス角の磁気ヘッドで再生を行うことで、隣接のトラックからのクロストークを減少させることができる。これによってトラック間のいわゆるガードバンドを無くした高記録密度の記録再生を行うことができる。そしてこのようなガードバンドを無くしたトラックパターンに対しては、例えば再生時のトラッキング制御を行わずに再生信号を取り出すことができるものである。
【００１５】
すなわち上述の装置において、記録は、例えば回転ドラム６８の１回転に１トラックずつ、磁気ヘッドＨａ、Ｈｂで交互に行われる。これに対して、再生は、例えば回転ドラム６８上に設けられた磁気ヘッドＨｃ、Ｈｄによって回転ドラム６８の１回転に２トラックずつ行われる。これによって、磁気ヘッドＨａ、Ｈｂで記録された各記録トラックが、磁気ヘッドＨｃ、Ｈｄで２度ずつ再生される。ここで磁気ヘッドＨａ、Ｈｂは回転ドラム６８の円周に対して４５度の角度割りで設けられ、磁気ヘッドＨｃ、Ｈｄは１８０度の角度割りで設けられる。
【００１６】
そしてこれらの磁気ヘッドＨａ〜Ｈｄに対して記録／再生回路６７では、例えば図１２に示すように信号の供給及び信号の取り出しが行われる。すなわち図１２のＡに示す回転ドラム６８の１回転に対して、記録時には磁気ヘッドＨａ、Ｈｂによって図１２のＢ、Ｃに示すように記録が行われる。一方、再生時には磁気ヘッドＨｃ、Ｈｄによって図１２のＤ、Ｅに示すように再生が行われる。これによって、回転ドラム６８の１回転に１トラックずつ記録された記録トラックが、回転ドラム６８の１回転に２トラックずつ再生される。
【００１７】
すなわち磁気ヘッドＨａ、Ｈｂによって記録された記録トラックは、磁気ヘッドＨｃ、Ｈｄによって２度ずつ再生される。そして例えば記録されるデジタルデータには、各記録単位ごとに任意のアドレス等が設けられ、例えば２度ずつ再生される再生信号の中から、正常に再生された記録単位のみを取り出してデジタルデータを再構築することができる。なおこのようなデジタルデータの再構築は、例えばＥＣＣ変調／復調回路６６での誤り訂正の復調と同時に、バッファコントローラ６４及びバッファメモリー６５との共同によって行うことができる。
【００１８】
そして変調／復調回路６６で再構築されたデジタルデータが圧縮／伸長回路６３に供給されて、記録時に行われた圧縮を元に戻す伸長が行われる。さらに伸長されたデジタル信号がデジタルアナログ変換器（ＤＡＣ）７３でアナログ信号に変換されて、例えば映像及び音声信号のアナログ信号が取り出される。そしてこの取り出された映像及び音声信号がテレビジョン受像機等の表示装置７４に供給される。このようにして、例えば映像及び音声信号のデジタルデータによる記録及び再生が行われる。
【００１９】
従ってこの装置によれば、記録時にはトラック間のいわゆるガードバンドを無くした高記録密度のトラックパターンが形成されると共に、再生時には各記録トラックが２度ずつ再生されて正常に再生された記録単位のみが取り出されることによって、特に再生時にいわゆるトラッキング制御を行う必要がなくなる。そしてさらに正常に再生された記録単位を例えばアドレスに従って再構築することによって、極めて簡単な構成で、良好なデジタルデータの記録再生を行うことができるものである。
【００２０】
なお上述の装置において、再生ヘッドには、例えば磁気抵抗効果（ｍａｇｎｅｔｏ−ｒｅｓｉｓｔｉｖｅ　ｅｆｆｅｃｔ：以下、ＭＲと略称する）を利用したＭＲヘッドが用いられる。すなわちこのようなＭＲヘッドは、磁気の変化を能動的に検出するものであり、このようなＭＲヘッドを用いることによって、微細なトラックパターンからの信号の再生ができるようになる。従ってこのようなＭＲヘッドを用いてトラックを狭幅化することにより、一層の高記録密度のトラックパターンを採用することが可能になるものである。
【００２１】
ところが上述のようなトラッキング制御を行わない再生装置においては、再生信号は常に所定のレベル以上に保たれている訳ではなく、トラッキングが外れているときには再生信号のレベルが低下して、信号対雑音比（Ｓ／Ｎ）が極端に劣化していることがある。すなわち図１３においては、上述のようにガードバンドを無くして記録されたトラックパターンが、例えば記録アジマスごとに異なるハッチングを施して示されている。そしてこのようなトラックパターンに対して、例えば１個の再生ヘッドによる２回の再生が破線で示すように行われる。
【００２２】
そこでこのような２回の再生における再生信号は、例えば図１４に示すようになっている。すなわち図１４は上述の図１３における実線で示した記録トラックの再生に関わるものであって、この図１４において、１回目の再生出力はハッチングを附して示すように、最初に高いレベルの再生出力が取り出され、後半そのレベルは低いものになる。また２回目の再生出力は、最初に低いレベルの再生出力が取り出され、後半そのレベルは高いものになる。このように再生出力のレベルが大幅に変動するものである。
【００２３】
そこでこのような再生信号が、例えば上述の図９に示したような適応型等化回路に供給されると、例えば演算回路９２において上述のインパルス応答を推定した重み付けの係数Ｃ１　〜Ｃ５　を求める際の演算等が雑音によって誤動作し、誤った重み付けの係数Ｃ１　〜Ｃ５　が形成されてしまう恐れがある。すなわち例えば図１５は上述の１回目の再生出力から得られるデジタルデータを示したもので、最初の部分では目標値（＋１、０、−１）の近辺に集まっているデータが、後半では広範囲に広がってしまっているものである。
【００２４】
なおこのようなデータの発散は、再生ヘッドとトラックとのアジマス角の不一致による再生出力の低下と、雑音成分の増加によって生じるものである。そしてこのように発散したデータでは、例えばＬＭＳアルゴリズムによる伝送路のインパルス応答の推定や、ビタビ復号アルゴリズムによって求められる目標値からの誤差成分の演算を正しく行うことができなくなり、例えば図９の適応型等化回路８における演算回路９１での、等化のための重み付け係数を適応的に定める演算が良好に行われなくなってしまうものである。
【００２５】
なおこのような雑音による誤動作は、通常の再生装置によっても生じるものであるが、通常時は散発的に生じる雑音に対しては絶対数の多い正常な信号によって修復されるので大禍を生じることがないものである。しかしながら上述のようにトラッキング制御を行わない再生装置においては、頻繁に連続した雑音が生じることがシステム上で認められているものであり、上述の適応型等化回路での誤動作を避けることができない。このため従来は、トラッキング制御を行わない再生装置には適応型等化回路は採用できないものとされていた。
【００２６】
これに対して本願発明者は、先に入力信号のエンベロープ値を検出し、このエンベロープ値が所定値以上のときに適応型等化回路での重み付けの係数の変更を行うようにした装置を提案した。これによれば、頻繁に連続した雑音が生じた場合には誤った重み付けが行われず、例えばトラッキング制御を行わない再生装置においても良好に適応型等化回路を採用することができる。しかしながらこの装置では、エンベロープ値の検出のためにアナログ回路が必要であり、回路構成の複雑化や、動作の安定性が損なわれるなどの問題が生じる恐れがある。
【００２７】
この出願はこのような点に鑑みて成されたものであって、解決しようとする問題点は、従来の装置では、頻繁に連続した雑音が生じる場合には適応型等化回路で誤った重み付けの係数が形成されてしまう恐れがあり、これに対してエンベロープ値を検出して制御を行う方法では、アナログ回路を用いるための回路構成の複雑化や、動作の安定性が損なわれるなどの問題が生じる恐れがあり、このため例えばトラッキング制御を行わない再生装置に対しては適応型等化回路を採用することができなかったというものである。
【００２８】
【課題を解決するための手段】
このため本発明においては、再生信号を任意の目標値に識別すると共に、その識別の際の目標値ごとにその検出点誤差を求め、その検出点誤差、あるいはそれを統計処理した数値に基づいて適応型等化回路での重み付けの係数の変更を行うものであって、これによれば、デジタル処理による簡単な構成でも誤った重み付けが行われることがないようにすることができ、例えばトラッキング制御を行わない形式の再生装置において、頻繁に連続した雑音が生じるような場合にも良好に適応型等化回路を採用することができる。
【００２９】
【発明の実施の形態】
すなわち本発明は、記録媒体から再生信号を取り出す再生装置であって、再生信号の等化を行う適応型等化回路と、等化された再生信号を任意の目標値に識別する判定回路と、再生信号を判定回路の目標値ごとにその検出点誤差を求める検出手段とを設け、検出手段からの検出点誤差、あるいは検出点誤差を統計処理した数値に基づいて適応型等化回路を制御してなるものである。
【００３０】
また本発明は、再生信号を順次遅延する複数の単位遅延からなる遅延手段と、これらの遅延信号をそれぞれ重み付けする複数の重み付け手段と、これらの重み付けされた信号を加算する加算手段とを有し、複数の重み付け手段の重み付け係数をそれぞれ再生信号に応じて変更する適応型等化回路であって、等化された再生信号を任意の目標値に識別する判定回路と、再生信号を判定回路の目標値ごとにその検出点誤差を求める検出手段とを設け、検出手段からの検出点誤差、あるいは検出点誤差を統計処理した数値に基づいて複数の重み付け手段の重み付け係数を制御してなるものである。
【００３１】
以下、図面を参照して本発明を説明するに、図１は本発明を適用した適応型等化回路の一実施形態の構成を示すブロック図である。
【００３２】
図１において、入力端子２０に供給される再生信号が、直列接続された複数の単位遅延手段２１〜２４に供給される。なお、図１では簡略化のため単位遅延手段を４段としたが、実際の装置では１０段以上のものが用いられる。これらの単位遅延手段２１〜２４の入力端及び出力端の信号がそれぞれ重み付け係数Ｃ１　〜Ｃ５　の重み付け手段２５〜２９を通じて加算器３０で加算される。これより、いわゆるＦＩＲフィルタが形成されて再生信号の等化が行われる。
【００３３】
さらに例えば上述の図８のデコーダー９から取り出されたシンボル系列が演算回路３１に供給され、加算器３０の出力信号から減算されることによって目標値との誤差成分が取り出される。そしてこの誤差成分と入力端子２０に供給される再生信号とが演算回路３２に供給されて、例えばＬＭＳ（Ｌｅａｓｔ　Ｍｅａｎ　Ｓｑｕａｒｅ　＝最小自乗法）アルゴリズムを用いて伝送路のインパルス応答を推定すると共に、誤差成分が最小になるように上述の重み付け手段２５〜２９に設定される重み付けの係数Ｃ１　〜Ｃ５　が求められる。
【００３４】
それと共に、加算器３０の出力信号が検出点誤差の統計回路Ａ３３に供給されて、例えばデコーダー９での目標値（＋１、０、−１）に対応するレベルとの誤差値の統計が行われる。ここで加算器３０の出力信号は、一回の走査において図２に示すように変化される。すなわち図２は、１回の走査における再生出力から得られるデジタルデータを示したもので、最初の部分では目標値（＋１、０、−１）の近辺に集まっているデータが、後半では広範囲に広がってしまっている。なおこの図２は、従来の技術で示した図１５と同じ資料である。
【００３５】
そしてこの図２において、例えば実線で囲って示す最初に近い区間１と、後半の区間２との信号分布を見ると、それぞれ図３のＡ及びＢに示すようになっている。すなわち図３において、それぞれの区間のデータを例えば各目標値（＋１、０、−１）ごとに統計処理して、誤差ｅ、２乗誤差ｅ２　、平均値μ、データ数Ｎ等のパラメーターを算出すると、次の表１のようになる。
【００３６】
【表１】
2004022041.tif 000003
【００３７】
ここで区間１のデータ数Ｎが「ランダム」とは、各目標値（＋１、０、−１）に対する存在確率が２５％、５０％、２５％に近いという意味である。これに対して区間２においては目標値０に対する存在確率が大きくなる傾向があり、これを「偏在」と称しているものである。
【００３８】
そこで上述の検出点誤差の統計回路Ａ３３では、例えば入力データに付随したこれらのパラメーターを常に監視し、それが許容範囲の時だけ適応等化の演算を行い、あるいはＦＩＲフィルタの係数の更新を制限することによって、誤動作の恐れを無くし、最適な係数に迅速に収束させることができる。すなわち上述の検出点誤差の統計回路Ａ３３で上述のパラメーターの異常が検出されたときに検出信号を演算回路３２に供給して、適応等化の演算を停止したり、あるいは係数の更新を制限することができるものである。
【００３９】
すなわち上述の装置において、例えば磁気記録再生における伝送路のインパルス応答を推定した再生信号の等化が行われると共に、例えば検出点誤差の統計回路Ａ３３で入力データに付随したパラメーターを監視し、それらが許容範囲の時だけ演算回路３２での適応等化の演算を行い、あるいはＦＩＲフィルタの係数の更新を制限することによって、例えば上述の区間２に示したようなデータに対しては誤った重み付けが行われることがないようにすることができ、常に良好な適応等化を行うことができるものである。
【００４０】
従って上述の実施形態において、再生信号を任意の目標値に識別すると共に、その識別の際の目標値ごとにその検出点誤差を求め、その検出点誤差、あるいはそれを統計処理した数値に基づいて適応型等化回路での重み付けの係数の変更を行うことによって、デジタル処理による簡単な構成でも誤った重み付けが行われることがないようにすることができ、例えばトラッキング制御を行わない形式の再生装置において、頻繁に連続した雑音が生じるような場合にも良好に適応型等化回路を採用することができる。
【００４１】
これによって、従来の装置では、頻繁に連続した雑音が生じる場合には適応型等化回路で誤った重み付けの係数が形成されてしまう恐れがあり、これに対してエンベロープ値を検出して制御を行う方法では、アナログ回路を用いるための回路構成の複雑化や、動作の安定性が損なわれるなどの問題が生じる恐れがあり、このため例えばトラッキング制御を行わない再生装置に対しては適応型等化回路を採用することができなかったものを、本発明によればこれらの問題点を容易に解消することができるものである。
【００４２】
なお上述の装置において、検出点誤差の統計回路Ａ３３の具体的な機能ブロック図を図４のＡに示す。この図４のＡにおいて、再生入力信号Ｘ（ｔ）　がＦＩＲＣ（ｔ）ｉで示されるの適応型等化フィルタ１００に供給されて再生出力信号Ｙ（ｔ）　が取り出される。さらにこの出力信号Ｙ（ｔ）　がデコーダー９（図示せず）に供給されると共に、デコーダー９と同等のデコーダー１０１に供給される。そしてこのデコーダー１０１の出力信号が演算回路１０２に供給され、この出力信号から出力信号Ｙ（ｔ）　が減算されることによって目標値との誤差成分が取り出される。
【００４３】
そしてこの誤差成分が、例えば各目標値（＋１、０、−１）における誤差ｅと２乗誤差ｅ２　の集合平均をそれぞれ求める演算回路１０３に供給されることによって、例えば上述の誤差ｅと２乗誤差ｅ２　のパラメーターが求められる。そこで例えば２乗誤差ｅ２　の集合平均の値の変化を図示すると、例えば図５のＡまたはＢに示すようなグラフになる。なお図５のＡ及びＢは、アジマス角の異なる一対の再生ヘッドについてそれぞれ示したものである。
【００４４】
さらにこのグラフは、再生ヘッドが１本の記録トラックを２回ずつ走査している場合を示している。このため各走査はトラックと走査軌跡が比較的一致している場合と外れている場合とが交互に現れ、図示のようにジグザグ状のグラフになっているものである。そして例えばこの２乗誤差ｅ２　の集合平均が値４０以下のときを許容範囲とし、この値４０を越えたときは演算回路３２（図示せず）での適応等化の演算を停止、あるいはＦＩＲフィルタの係数の更新を制限することによって、上述の適応型等化回路に対する制御を行うことができる。
【００４５】
なお、図５のＢのグラフでは、２回の走査の２乗誤差ｅ２　の集合平均が共に値４０を越えている期間があるが、実際のデータの再生に関しては誤り訂正が働くので問題はない。しかしながら適応型等化回路においてＦＩＲフィルタの係数の演算を行う場合にはこの誤差によって誤動作や収束の遅れが生じるものであり、そのような誤動作等を解消するために本発明が適用されるものである。
【００４６】
さらに図４のＡの機能ブロック図において、デコーダー１０１はデコーダー９（図示せず）と同等のものである。しかしながら実施される装置でこの部分は、デジタル信号処理回路を用いたソフトウェア処理で行われているのであり、従って余分の配線等を用いることとソフトウェア処理での負担を勘案して、同じ機能を２か所に設けているものである。ただし処理時間等の問題でハードウェアが用いられる場合には、デコーダー９の出力側に演算回路１０２を設けることも考えられる。
【００４７】
また図６には、本発明を適用した適応型等化回路の他の実施形態のブロック図を示す。なおこの図６の説明で、上述の図１の実施形態と対応する部分には同一の符号を附して重複の説明を省略する。
【００４８】
すなわち図６においては、検出点誤差の統計回路Ｂ３３がＦＩＲフィルタを構成する単位遅延手段２１〜２４の入力側に設けられる。この他の構成は図１と同等である。この構成においても、検出点誤差の統計回路Ｂ３３で例えば各目標値（＋１、０、−１）ごとに統計処理して、誤差ｅ、２乗誤差ｅ２　、平均値μ、データ数Ｎ等のパラメーターを算出し、その値に応じて演算回路３２（図示せず）での適応等化の演算を停止、あるいはＦＩＲフィルタの係数の更新を制限することにより、上述の適応型等化回路に対する制御を行うことができる。
【００４９】
そこでこの場合には、検出点誤差の統計回路Ｂ３３の具体的な機能ブロック図を図４のＢに示すようになる。この図４のＢにおいて、再生入力信号Ｘ（ｔ）　がＦＩＲＣ（ｔ）ｉで示されるの適応型等化フィルタ１００に供給されて再生出力信号Ｙ（ｔ）　が取り出される。また、入力信号Ｘ（ｔ）　がデコーダー９と同等のデコーダー２０１に供給される。そしてこのデコーダー２０１の出力信号が演算回路２０２に供給され、この出力信号から入力信号Ｘ（ｔ）　が減算されることによって目標値との誤差成分が取り出される。
【００５０】
さらにこの誤差成分が、例えば各目標値（＋１、０、−１）における誤差ｅと２乗誤差ｅ２　の集合平均をそれぞれ求める演算回路２０３に供給されることによって、例えば上述の誤差ｅと２乗誤差ｅ２　のパラメーターが求められる。そして例えばこの２乗誤差ｅ２　の集合平均が値４０以下のときを許容範囲とし、この値４０を越えたときは演算回路３２（図示せず）での適応等化の演算を停止、あるいはＦＩＲフィルタの係数の更新を制限することによって、上述の適応型等化回路に対する制御を行うことができる。
【００５１】
このようにしてこれらの実施形態においても、再生信号を任意の目標値に識別すると共に、その識別の際の目標値ごとにその検出点誤差を求め、その検出点誤差、あるいはそれを統計処理した数値に基づいて適応型等化回路での重み付けの係数の変更を行うことによって、デジタル処理による簡単な構成でも誤った重み付けが行われることがないようにすることができ、例えばトラッキング制御を行わない形式の再生装置において、頻繁に連続した雑音が生じるような場合にも良好に適応型等化回路を採用することができる。
【００５２】
すなわち上述の各実施形態においては、検出点誤差の統計回路は、適応型等化回路の入力側、若しくは適応型等化回路の出力側であってデコーダーの入力側、あるいはデコーダーの出力側のいずれかに設けられる。そこで図７には、本発明を適用した再生装置の一実施形態のブロック図を示す。なお図７は要部のみを示し、また上述の図８に示した従来のブロック図と対応する部分に同一の符号を附して詳細な説明を省略する。
【００５３】
この図７において、Ａ／Ｄ変換器６の出力側に検出点誤差の統計回路Ｂ３３が設けられ、この検出点誤差の統計回路Ｂ３３で検出された値が適応型等化回路８に供給される。あるいは、適応型等化回路８の出力側に検出点誤差の統計回路Ａ３３が設けられ、この検出点誤差の統計回路Ａ３３で検出された値が適応型等化回路８に供給される。あるいは、デコーダー９の出力側に検出点誤差の統計回路Ｃ３３が設けられ、この検出点誤差の統計回路Ｃ３３で検出された値が適応型等化回路８に供給される。
【００５４】
なお、図７において検出点誤差の統計回路Ａ〜Ｃはいずれか１つが設けられればよいものである。また検出点誤差の統計回路Ａ及びＢは、上述の図４のＡ及びＢに示す構成が用いられるものであり、上述のようにソフトウェアで形成することができるものである。これに対して検出点誤差の統計回路Ｃは図示しないが、ハードウェアで構成されるものであり、この場合に検出点誤差の統計回路で用いるデコーダーは、デコーダー９を流用することができるものである。
【００５５】
こうして上述の再生装置によれば、記録媒体から再生信号を取り出す再生装置であって、再生信号の等化を行う適応型等化回路と、等化された再生信号を任意の目標値に識別する判定回路と、再生信号を判定回路の目標値ごとにその検出点誤差を求める検出手段とを設け、検出手段からの検出点誤差、あるいは検出点誤差を統計処理した数値に基づいて適応型等化回路を制御することにより、デジタル処理による簡単な構成でも誤った重み付けが行われることがないようにすることができ、例えばトラッキング制御を行わない形式の再生装置において、頻繁に連続した雑音が生じるような場合にも良好に適応型等化回路を採用することができるものである。
【００５６】
また、上述の適応型等化回路によれば、再生信号を順次遅延する複数の単位遅延からなる遅延手段と、これらの遅延信号をそれぞれ重み付けする複数の重み付け手段と、これらの重み付けされた信号を加算する加算手段とを有し、複数の重み付け手段の重み付け係数をそれぞれ再生信号に応じて変更する適応型等化回路であって、等化された再生信号を任意の目標値に識別する判定回路と、再生信号を判定回路の目標値ごとにその検出点誤差を求める検出手段とを設け、検出手段からの検出点誤差、あるいは検出点誤差を統計処理した数値に基づいて複数の重み付け手段の重み付け係数を制御することにより、デジタル処理による簡単な構成でも誤った重み付けが行われることがないようにすることができ、例えばトラッキング制御を行わない形式の再生装置において、頻繁に連続した雑音が生じるような場合にも良好に適応型等化回路を採用することができるものである。
【００５７】
なお本発明は、上述の説明した実施の形態に限定されるものではなく、本発明の精神を逸脱することなく種々の変形が可能とされるものである。
【００５８】
【発明の効果】
従って請求項１の発明によれば、再生信号を任意の目標値に識別すると共に、その識別の際の目標値ごとにその検出点誤差を求め、その検出点誤差、あるいはそれを統計処理した数値に基づいて適応型等化回路での重み付けの係数の変更を行うことによって、デジタル処理による簡単な構成でも誤った重み付けが行われることがないようにすることができ、例えばトラッキング制御を行わない形式の再生装置において、頻繁に連続した雑音が生じるような場合にも良好に適応型等化回路を採用することができるものである。
【００５９】
また、請求項２の発明によれば、適応型等化回路には、再生信号を順次遅延する複数の単位遅延からなる遅延手段と、これらの遅延信号をそれぞれ重み付けする複数の重み付け手段と、これらの重み付けされた信号を加算する加算手段とを有し、複数の重み付け手段の重み付け係数をそれぞれ再生信号に応じて変更すると共に、適応型等化回路の出力信号を判定回路に供給して検出手段からの検出点誤差、あるいは検出点誤差を統計処理した数値が所定の範囲のときに重み付け手段での係数の変更を行うことによって、適応型等化回路の出力信号を用いて誤動作の状態を検出し、簡単な構成でも誤動作の発生を防止して、良好な適応等化を行うことができるものである。
【００６０】
また、請求項３の発明によれば、適応型等化回路には、再生信号を順次遅延する複数の単位遅延からなる遅延手段と、これらの遅延信号をそれぞれ重み付けする複数の重み付け手段と、これらの重み付けされた信号を加算する加算手段とを有し、複数の重み付け手段の重み付け係数をそれぞれ再生信号に応じて変更すると共に、適応型等化回路の入力信号を判定回路に供給して検出手段からの検出点誤差、あるいは検出点誤差を統計処理した数値が所定の範囲のときに重み付け手段での係数の変更を行うことによって、適応型等化回路の入力信号を用いて誤動作の状態を検出し、簡単な構成でも誤動作の発生を防止して、良好な適応等化を行うことができるものである。
【００６１】
さらに請求項４の発明によれば、再生信号を任意の目標値に識別すると共に、その識別の際の目標値ごとにその検出点誤差を求め、その検出点誤差、あるいはそれを統計処理した数値に基づいて適応型等化回路での重み付けの係数の変更を行うことによって、デジタル処理による簡単な構成でも誤った重み付けが行われることがないようにすることができ、例えばトラッキング制御を行わない形式の再生装置において、頻繁に連続した雑音が生じるような場合にも良好に適応型等化回路を採用することができるものである。
【００６２】
また、請求項５の発明によれば、加算手段の出力信号を判定回路に供給して検出手段からの検出点誤差、あるいは検出点誤差を統計処理した数値が所定の範囲のときに重み付け手段での係数の変更を行うことによって、適応型等化回路の出力信号を用いて誤動作の状態を検出し、簡単な構成でも誤動作の発生を防止して、良好な適応等化を行うことができるものである。
【００６３】
また、請求項６の発明によれば、遅延手段の入力信号を判定回路に供給して検出手段からの検出点誤差、あるいは検出点誤差を統計処理した数値が所定の範囲のときに重み付け手段での係数の変更を行うことによって、適応型等化回路の入力信号を用いて誤動作の状態を検出し、簡単な構成でも誤動作の発生を防止して、良好な適応等化を行うことができるものである。
【００６４】
これによって、従来の装置では、頻繁に連続した雑音が生じる場合には適応型等化回路で誤った重み付けの係数が形成されてしまう恐れがあり、これに対してエンベロープ値を検出して制御を行う方法では、アナログ回路を用いるための回路構成の複雑化や、動作の安定性が損なわれるなどの問題が生じる恐れがあり、このため例えばトラッキング制御を行わない再生装置に対しては適応型等化回路を採用することができなかったものを、本発明によればこれらの問題点を容易に解消することができるものである。
【図面の簡単な説明】
【図１】本発明を適用した適応型等化回路の一実施形態のブロック図である。
【図２】その説明のための図である。
【図３】その説明のための図である。
【図４】検出点誤差の統計回路の説明のための図である。
【図５】その説明のための図である。
【図６】本発明を適用した適応型等化回路の他の実施形態のブロック図である。
【図７】本発明を適用した再生装置の一実施形態の要部のブロック図である。
【図８】磁気記録されたデジタル信号の再生装置の構成図である。
【図９】適応型等化回路の基本構造の構成図である。
【図１０】ビデオカメラの記録再生系の構成を示すブロック図である。
【図１１】ガードバンドを無くした記録トラックパターンを示す線図である。
【図１２】その記録再生の説明のためのタイムチャート図である。
【図１３】その再生の説明のための図である。
【図１４】その再生出力のレベルの説明のための図である。
【図１５】１回目の再生出力から得られるデジタルデータの説明のための図である。
【符号の説明】
２０…入力端子、２１〜２４…単位遅延手段、２５〜２９…重み付け手段、３０…加算器、３１，３２…演算回路、３３…検出点誤差の統計回路
【図１】
2004022041.tif 000004
【図２】
2004022041.tif 000005
【図３】
2004022041.tif 000006
【図４】
2004022041.tif 000007
【図５】
2004022041.tif 000008
【図６】
2004022041.tif 000009
【図７】
2004022041.tif 000010
【図８】
2004022041.tif 000011
【図９】
2004022041.tif 000012
【図１０】
2004022041.tif 000013
【図１１】
2004022041.tif 000014
【図１２】
2004022041.tif 000015
【図１３】
2004022041.tif 000016
【図１４】
2004022041.tif 000017
【図１５】
2004022041.tif 000018